(57)【要約】【課題】視覚障害者であってもカードの種類を識別可能な触覚識別部を備え、しかもこの触覚識別部を容易に形成する。【解決手段】片側表示面に、スート６及びランク７からなる記号部４が表示されると共に、スート６及びランク７に対応する触覚識別部５が形成されている。触覚識別部５は、透光性材料により構成される突部１０からなる。片側表示面２の記号部４と背景は、弱視者が識別可能な構成である。【選択図】図３
2016000093.tif 000002
【特許請求の範囲】
【請求項１】
片側表示面に、スート及びランクからなる記号部が視覚的に表示されると共に、前記スート及びランクに対応する触覚識別部が形成され、
前記触覚識別部は、透光性材料により構成される突部からなることを特徴とするトランプカード。
【請求項２】
片側表示面に、スート及びランクからなる記号部が視覚的に表示されると共に、前記スート及びランクに対応する触覚識別部が形成され、
前記触覚識別部は、形成される位置の背景色と同一色の突部からなることを特徴とするトランプカード。
【請求項３】
前記片側表示面の記号部と背景は、弱視者が識別可能な構成であることを特徴とする請求項１に記載のトランプカード。
【請求項４】
前記弱視者が識別可能な構成は、コントラストの違いにより達成したことを特徴とする請求項３に記載のトランプカード。
【請求項５】
前記記号部は、中央部のスートと、対角位置の少なくとも一方に形成されるランクとからなることを特徴とする請求項１から４のいずれか１項に記載のトランプカード。
【請求項６】
前記スートと前記ランクの数を不一致としたことを特徴とする請求項５に記載のトランプカード。
【請求項７】
前記触覚識別部は、片側表示面の周辺領域よりも内側に形成したことを特徴とする請求項１から６のいずれか１項に記載のトランプカード。
【請求項８】
前記触覚識別部を構成する突部は、複数の突起で構成したことを特徴とする請求項１から７のいずれか１項に記載のトランプカード。
【請求項９】
前記触覚識別部を構成する突部は、外表面を平坦面で構成したことを特徴とする請求項１から７のいずれか１項に記載のトランプカード。
【請求項１０】
前記触覚識別部を構成する突部は、外表面を湾曲面で構成したことを特徴とする請求項１から７のいずれか１項に記載のトランプカード。
【請求項１１】
前記触覚識別部を構成する突部は、外表面に起伏を設けたことを特徴とする請求項１から７のいずれか１項に記載のトランプカード。
【請求項１２】
前記触覚識別部は、前記スートに対応するスート識別部の数により前記ランクとしての機能を有することを特徴とする請求項１から７のいずれか１項に記載のトランプカード。
【請求項１３】
前記触覚識別部は、前記ランクのうちの特定の数字を示すランク識別部をさらに備えたことを特徴とする請求項１２に記載のトランプカード。
【請求項１４】
前記ランクは１から１３の自然数に対応し、
前記ランク識別部は、数字５に対応するものを含むことを特徴とする請求項１３に記載のトランプカード。
【請求項１５】
前記ランク識別部は、片側表示面の両側部にそれぞれ形成されることを特徴とする請求項１３又は１４に記載のトランプカード。
【請求項１６】
前記ランク識別部は、片側表示面の側部に沿って両端側へと延びることを特徴とする請求項１３から１５のいずれか１項に記載のトランプカード。
【請求項１７】
前記スート識別部は、片側表示面に形成する数が多くなるに従ってサイズを小さくしたことを特徴とする請求項１２から１６のいずれか１項に記載のトランプカード。
【請求項１８】
前記片側表示面と、反対側の裏面とは表面性状を変化させたことを特徴とする請求項１から１７のいずれか１項に記載のトランプカード。
【発明の詳細な説明】
【技術分野】
【０００１】
本発明は、トランプカードに関するものである。
【背景技術】
【０００２】
従来、トランプカードとして次のような構成のものが公知である。
特許文献１には、点字付きのトランプカードが開示されている。
特許文献２には、裏面側を透視可能とする透明エリアと、透明エリアの一部に形成され一組のトランプに共通の図形・絵等の特定表示物が表示されている特定表示エリアとを設けたトランプカードが開示されている。
特許文献３には、異常トランプカードを発見するために、所定の組を構成することを表す識別コードを設けたトランプカードが開示されている。
【０００３】
しかしながら、特許文献１に記載されたトランプカードでは、トランプカード本来のスート等の表示に加えて点字を形成するようにしているが、具体的にどのようにして点字を形成するのかまで開示されるものではない。また、点字が読めない視覚障害者のことは一切考慮されていない。
特許文献２及び３に記載されたトランプカードでは、視覚障害者が識別可能な構成を備えていない。
【先行技術文献】
【特許文献】
【０００４】
【特許文献１】特開平１０−１９２４７７号公報
【特許文献２】特公平６−９１９０４号公報
【特許文献３】特開２００８−１２３６０号公報
【発明の概要】
【発明が解決しようとする課題】
【０００５】
本発明は、視覚障害者であってもカードの種類を識別可能な触覚識別部を備え、しかもこの触覚識別部を容易に形成することができるトランプカードを提供することを課題とする。
【課題を解決するための手段】
【０００６】
本発明は、前記課題を解決するための手段として、
片側表示面に、スート及びランクからなる記号部が表示されると共に、前記スート及びランクに対応する触覚識別部が形成され、
前記触覚識別部は、透光性材料により構成される突部からなることを特徴とするトランプカードを提供する。
【０００７】
本発明は、前記課題を解決するための手段として、
片側表示面に、スート及びランクからなる記号部が視覚的に表示されると共に、前記スート及びランクに対応する触覚識別部が形成され、
前記触覚識別部は、形成される位置の背景色と同一色の突部からなることを特徴とするトランプカードを提供する。
【０００８】
これらの構成により、視覚障害者であっても、片側表示面に形成された突部からなる触覚識別部によってそのトランプカードのスート及びランクを識別することができる。しかも、触覚識別部は透光性材料又は背景色と同一色で構成されているので、記号部の視認性が阻害されることがない。このため、視覚障害者と健常者とが一緒にトランプカードによるゲームを楽しむことができる。
【０００９】
前記片側表示面の記号部と背景は、弱視者が識別可能な構成であるのが好ましい。特に、ユニバーサルデザインであるのが好適である。
【００１０】
この構成により、弱視者であっても、触覚識別部に頼ることなく、スート及びランクの違いを判断することができる。また触覚識別部と併用することで、より一層容易にスート及びランクを判別することが可能となる。
【００１１】
前記弱視者が識別可能な構成は、コントラストの違いにより達成すればよい。
【００１２】
前記記号部は、中央部のスートと、対角位置の少なくとも一方に形成されるランクとからなるのが好ましい。
【００１３】
この構成により、記号部のデザインを簡略化して弱視者であっても容易に判別することが可能となる。
【００１４】
前記スートと前記ランクの数を不一致としてもよい。
【００１５】
前記触覚識別部は、片側表示面の周辺領域よりも内側に形成するのが好ましい。
【００１６】
この構成により、ゲーム中に対戦相手が触覚識別部に触れにくくなり、スート又はランクが分かってしまうことを防止することができる。
【００１７】
前記触覚識別部を構成する突部は、複数の突起で構成することができる。
【００１８】
前記触覚識別部を構成する突部は、外表面を平坦面で構成することもできる。
【００１９】
前記触覚識別部を構成する突部は、外表面を湾曲面で構成することもできる。
【００２０】
前記触覚識別部を構成する突部は、外表面に起伏を設けるようにしてもよい。
【００２１】
前記触覚識別部は、前記スートに対応するスート識別部の数により前記ランクとしての機能を有するのが好ましい。
【００２２】
この構成により、触覚識別部の構成を簡略化して視覚障害者による判別を容易にすることができる。
【００２３】
前記触覚識別部は、前記ランクのうちの特定の数字を示すランク識別部をさらに備えるのが好ましい。
【００２４】
この構成により、スート識別部のみで構成する場合に比べて、より一層構成を簡略化して視覚障害者による判別を容易にすることができる。
【００２５】
前記ランクは１から１３の自然数に対応し、
前記ランク識別部は、数字５に対応するものを含むのが好ましい。
【００２６】
この構成により、ランク１から４はランク識別部なしで、５から９は１つのランク識別部と必要なスート識別部の数で、１０から１３は２つのランク識別部と必要なスート識別部の数でそれぞれ表現することができる。
【００２７】
前記ランク識別部は、片側表示面の両側部にそれぞれ形成されるのが好ましい。
【００２８】
この構成により、片側表示面の両側いずれからでもランク識別部に指で触れることができ、トランプゲーム中の判別を容易に行うことが可能となる。
【００２９】
前記ランク識別部は、片側表示面の側部に沿って両端側へと延びるのが好ましい。
【００３０】
この構成により、片側表示面の両側からだけではなく、両端側からも容易にランク識別部に触れることができる。
【００３１】
前記スート識別部は、片側表示面に形成する数が多くなるに従ってサイズを小さくするのが好ましい。
【００３２】
この構成により、スート識別部によるランク判別をより一層容易に行うことができる。
【００３３】
前記片側表示面と、反対側の裏面とは表面性状を変化させるのが好ましい。
【００３４】
この構成により、指で触れただけで表裏面の判別が可能となり、視覚障害者が健常者に誤って片側表示面を見せてしまうといった不具合を回避することができる。
【発明の効果】
【００３５】
本発明によれば、片側表示面に表示される記号部とは別に透光性を有する触覚識別部を形成するようにしたので、健常者と視覚障害者とが一緒にトランプゲームを楽しむことができる。
【図面の簡単な説明】
【００３６】
【図１】本実施形態に係るトランプカードの片側表示面に形成された記号部を示す正面図である。
【図２】図１の片側表示面に形成される触覚識別部を示す正面図である。
【図３】（ａ）は本実施形態に係るトランプカードの片側表示面を示す正面図、（ｂ）はＡ−Ａ線断面図、（ｃ）はＢ−Ｂ線断面図である。
【図４】図２の触覚識別部を形成するためのディスペンサの断面図である。
【発明を実施するための形態】
【００３７】
以下、本発明に係る実施形態を添付図面に従って説明する。なお、以下の説明は、本質的に例示に過ぎず、本発明、その適用物、あるいは、その用途を制限することを意図するものではない。さらに、図面は模式的なものであり、各寸法の比率等は現実のものとは相違している。
【００３８】
図１は、本実施形態に係るトランプカード１（後述する記号部４のみを表示したもの）を示す。このトランプカード１は、片側表示面２と片側裏面３とで表面性状が相違している。表面性状の違いにより、ユーザはトランプカード１を触っただけで、その面が片側表示面２か片側裏面３かを容易に判別することができるようになっている。なお、表面性状を相違させる方法としては、表裏面で材質を変える（例えば、表面を樹脂、裏面を紙）、表面粗さを相違させる（例えば、表面にのみエンボス加工を施す）、あるいはその組み合わせ、等が挙げられる。
【００３９】
片側表示面２には、記号部４と触覚識別部５とが形成されている。
【００４０】
記号部４は、「スペード」、「クラブ」、「ダイヤ」、「ハート」の４種類のスート６と、スート毎に決められた「Ａ」、「２」…「Ｋ（キング）」の１３のランク７とからなる模様である。ここでは、記号部４は、一般的な形状のスート６の白抜きと、１から１３の数字からなるランク７の白抜きとで構成され、背景部がスート毎に異なる色彩で表示されている。例えば、背景色を、「スペード」では黒、「ハート」では赤、「クラブ」では青、「ダイヤ」では黄としている。すなわち、背景部と記号部４のコントラストが強く、弱視者でも明確に識別可能で、かつ、色覚異常者でも４種類のスート６を識別可能な配色となっている。ランク７の違いに拘わらず、スート６は中央部に１つだけ表示され、ランク７は２組の対角位置の一方にそれぞれ表示されている。これにより、通常のトランプに見られるように、ランク７の数だけスート６を表示した場合に比べて、スート６を大きく表示することができる。このため、弱視者でもスート６を容易に識別することができる。このように、片側表示面２は、弱視者や色覚異常者であっても識別可能なユニバーサルデザインとなっている。但し、デザイン自体は、図示のものに限らず、健常者、弱視者及び色覚異常者のいずれにも識別可能なものであればいずれの構成であっても採用することができる。
【００４１】
触覚識別部５は、図２及び図３に示すように、スート識別部８とランク識別部９とからなる。また触覚識別部５は、透光性を有する材料（例えば、エポキシ等の樹脂材料、水ガラス（高濃度ケイ酸ナトリウム水溶液）、ワニス、木工用ボンド等）からなる複数の突部１０で構成されている。突部１０には、半球状の突起１１、直線状又は曲線状に連なった突条１２、あるいは、面状部１３等、種々の形態を採用することができる。半球状の突起１１では、全て同一形状とし、等間隔で配置するようにすればよい。図３の例では、トランプカード１の両側部に沿って両端側に延びる同一線上に配置された複数の半球状（半球でなくてもよい）の突起１１が示されている。また、突起１１は、片側表示面２からの突出寸法を、積層したトランプカード１間に隙間が空きすぎず、指で触ることにより容易に判別可能なサイズ（高さ寸法、半径）とされている（例えば、直径１ｍｍ、高さ０．５ｍｍ）。また、触覚識別部５は、トランプカード１の外縁から所定寸法内側に形成されている。これは、トランプカード１で遊ぶ場合等、相手のトランプカード１に触れた際に誤って触覚識別部５にも触れてしまい、そのスート６やランク７が分かってしまうことを防止するためである。ここでは、触覚識別部５を、カードゲーム等で触れやすいトランプカード１の上下の短辺から所定寸法（例えば、大人の人差し指の第１関節までの長さの平均値等）内側に形成するようにしている。
【００４２】
図２は、片側表示面２に形成される触覚識別部５の一例を示す。
ここでは、スート６の違いに応じて各スート識別部８は次のような形状とされている。すなわち、「スペード」は、三角形部とその底面中央部から延びる直線部とで構成され、通常のスペードよりも簡略化された形状となっている。三角形部及び直線部は全体に盛り上がるように構成されている。図３（ａ）に示す「クラブ」は、直交する３方向に延び、図３（ｂ）に示すように、先端に向かうに従って徐々に幅寸法と厚みとが増大し、先端部分では、図３（ｃ）に示すように、円弧状に形成された３本の直線部の全体が盛り上がるように構成され、通常のクラブよりも簡略化された形状となっている。「ダイヤ」は、通常のダイヤの形状と同じで、半球状に突出した複数の突起により構成されている。「ハート」は、円の一部をＶ字状に切り欠いた略ハート形状を、半球状に突出した複数の突起により囲むように構成されている。
【００４３】
このように、スート識別部８は、「ダイヤ」を除き、通常よりも簡略化された形態とされている。したがって、先天的な視覚障害者のみならず、後天的な視覚障害者であっても、容易に判別することができる。また、「ダイヤ」を複数の突起により形成し、「スペード」を全体が盛り上がった構成とすることにより、指で触れたときの感覚を全く相違させている。したがって、「ダイヤ」と「スペード」のスート識別部８の判別を、スートの形状の違いだけでなく、触れたときの感触の違いによっても容易に行うことができる。
【００４４】
また、ランク７の違いに応じて各スート識別部８とランク識別部９は次のような構成とされている。
各スート識別部８は、ランク７が「１」から「４」、「６」から「９」、及び、「１１（Ｊ）」から「１３（Ｋ）」と増大するに従ってサイズが小さくなるように構成され、「５」と「１０」では、最も小さいサイズと同じである。また各スート識別部８は、「１」、「６」、「１１（Ｊ）」では、中央部１箇所、「２」、「７」、「１２（Ｑ）」では、片側表示面２を幅方向（左右）に２分する縦中心線上の上下２箇所、「３」、「８」、「１３（Ｋ）」では、縦中心線上の３箇所、「４」、「９」では、長手方向（上下）及び幅方向（左右）に２分する横中心線上及び縦中心線上の上下及び左右の２箇所ずつ（合計４箇所）にそれぞれ形成されている。また「ダイヤ」を除く他の３つのスート識別部８では方向性があり、例えば、スペード（ハート及びクローバーでも同じ）では、片側表示面２に対する向きは、図２に示すように、三角形部の直線部が長手方向の一方（図中、下方）に向かう（三角形部の頂点のうち、直線部が形成される側とは反対側に位置する頂点が上方側に位置する）第１方向と、この第１方向とは上下逆向きの第２方向のいずれか一方とされている。
【００４５】
ランク７が「１」では、（スペード、ハード及びクローバーの）スート識別部８が第１方向となるように片側表示面２の中央部に配置されている。ランク７が「２」では、２つのスート識別部８が縦中心線上で、横中心線に対して上下対称に配置されている。この場合、「ダイヤ」を除く他の３つのスート識別部８では、上方側が第１方向とされ、下方側が第２方向とされている。ランク７が「３」では、３つのスート識別部８が縦中心線上に配置され、真ん中に位置するものが中央部、上下に位置するものが横中心線に対して上下対称に配置されている。この場合、上側２つのスート識別部８が第１方向とされ、下側１つのスート識別部８が第２方向とされている。ランク７が「４」では、４つのスート識別部８のうち、２つが縦中心線上で横中心線に対して上下対称に配置され、残る２つが横中心線上で縦中心線に対して左右対称に配置されている。この場合、上側及び左側に位置するものが第１方向とされ、下側及び右側に位置するものが第２方向とされている。
【００４６】
ランク「５」では、片側表示面２の両側部に沿って両端側へと複数の半球状の突起１１を形成してなるランク識別部９がそれぞれ形成されている。各ランク識別部９は中央部分での突起１１の間隔が広げられ、そこにはスート識別部８がそれぞれ形成されている。「ダイヤ」を除く他の３つのスート識別部８では、左側が第１方向とされ、右側が第２方向とされている。ランク７が「６」から「９」では、片側表示面２の両側部にランク識別部９がそれぞれ形成され、スート識別部８は、前述のランク７が「１」から「４」と同様な構成のものが両ランク識別部９の間に形成されている。
【００４７】
ランク７が「１０」では、片側表示面２の両側部に沿って２列でランク識別部９がそれぞれ形成され、中央部に前記ランク７と同様なスート識別部８が形成されている。ランク７が「１１（Ｊ）」から「１３（Ｋ）」では、片側表示面２の両側部に沿って２列でランク識別部９がそれぞれ形成され、スート識別部８は、前述のランク７が「１」から「３」と同様な構成のものが両ランク識別部９の間に形成されている。
【００４８】
このように、ランク７が「１」から「４」ではスート識別部８の数の違いにより識別可能としている。この場合、スート識別部８がランク識別部９としての機能を発揮する。「５」から「９］では、スート識別部８の数の違いに加えて片側表示面２の両側部に沿ってそれぞれ１列で形成したランク識別部９により「５」を意味し、この「５」にランク識別部９の内側に形成したスート識別部８の数を加算した値がランク７となる。「１０」から「１３（Ｋ）」では、さらに片側表示面２の両側部に沿ってそれぞれ形成するランク識別部９を「１０」を意味する２列としている。つまり、「１」から「４」までのスート識別部８の数と、片側表示面２の両側部に沿ってそれぞれ形成したランク識別部９の数の組み合わせとでランク７を示すようにしているので、触覚識別部５を簡略化して視覚障害者が判別容易な構成とすることができる。
【００４９】
前記突部１０は、ディスペンサ１４にて片側表示面２に塗布することにより形成される。
ディスペンサ１４は、図４に示すように、ケーシング１５内に、ロータ１６、ステータ１７、及び、動力伝達機構１８等を収容したものである。ディスペンサ１４は図示しない駆動機構に設けられ、樹脂を塗布する対象であるトランプカード１を基台上に設置した状態で、基台（図示せず）に対して相対的にＸＹＺ軸方向に移動可能となっている。
【００５０】
ケーシング１５は筒状の金属製材料からなる。ケーシング１５の一端側には第１開口部１９が形成され、外周部には第２開口部２０が形成されている。
【００５１】
ロータ１６は、金属製の軸体であり、ｎ−１条で単段あるいは多段の雄ネジ形状に形成されている。ここでは、ロータ１６は１条で偏心した雄ねじ形状に形成され、横断面形状が略真円形である。
【００５２】
ステータ１７は、ゴム、樹脂等を略円筒形としたもので、その内周面はｎ条で単段あるいは多段の雌ネジ形状に形成されている。ここでは、ステータ１７は、２条で多段の雌ねじ形状に形成され、その貫通孔の横断面形状（開口形状）は略長円形である。
【００５３】
ロータ１６をステータ１７に挿通すると、ロータ１６の外周面とステータ１７の内周面とが両者の接線で密接した状態になり、ステータ１７の内周面とロータ１６の外周面との間に長手方向に延びる螺旋状の流体搬送路２１が形成される。
【００５４】
動力伝達機構１８は、カップリング２２及びカップリングロッド２３により構成され、図示しない駆動機の駆動力をロータ１６に伝達する。
【００５５】
前記構成のディスペンサ１４によれば、駆動機を駆動してロータ１６を正逆回転させることにより、第１開口部１９を介して溶融させた樹脂材料を所望量ずつ吐出してトランプカード１の片側表示面２に触覚識別部５を形成することができる。例えば、片側表示面２に触覚識別部５として突部１０を形成する場合、突起１１であればロータ１６の回転を停止すれば液ダレすることがなく、突条１２や面状部１３であれば、ディスペンサ１４を移動させながら連続的にロータ１６を回転させればよい。つまり、いずれの形状であっても簡単に形成することができる。
【００５６】
このようにして形成されたトランプカード１によれば、表裏面の表面性状が相違しており、視覚障害者であっても容易に片側表示面２を特定することができる。そして、そこに形成された触覚識別部５によってスート６及びランク７を簡単に判別することができる。また片側表示面２の記号部４（スート６及びランク７）と背景色の組み合わせを判別容易なものとしたので、健常者は勿論のこと、弱視者であっても容易に識別することができる。したがって、健常者、弱視者、点字等を理解しない視覚障害者であっても簡単に理解でき、トランプカード１を使用したゲームを楽しむことができる。
【００５７】
なお、本発明は、前記実施形態に記載された構成に限定されるものではなく、種々の変更が可能である。
例えば、前記実施形態では、トランプカード１の片側表示面２に、簡略化したスート６及びランク７を形成するようにしたが、これに代えて点字を形成するようにしてもよいし、これに合わせて点字を形成することもできる。
また、前記実施形態では、触覚識別部５として、例えば、面状部１３の外表面を平坦面で構成するようにしたが、湾曲面で構成したり、「クローバー」のように起伏を設けたりすることもできる。
また、前記実施形態では、触覚識別部５を透光性を有する材料で構成したが、背景部と同一色で構成するようにしてもよい。この構成によっても、触覚識別部５が記号部４を識別するための障害となることがない。
また、前記実施形態では、触覚識別部５をディスペンサ１４を利用してトランプカード１の片側表示面２に塗布するようにしたが、必ずしも前記構成のディスペンサ１４を使用して形成しなくてもよい。また、触覚識別部５は、塗布によらず、成形等、他の手段によって形成することも可能である。
【符号の説明】
【００５８】
１…トランプカード
２…片側表示面
３…片側裏面
４…記号部
５…触覚識別部
６…スート
７…ランク
８…スート識別部
９…ランク識別部
１０…突部
１１…突起
１２…突条
１２…面状部
１４…ディスペンサ
１５…ケーシング
１６…ロータ
１７…ステータ
１８…動力伝達機構
１９…第１開口部
２０…第２開口部
２１…流体搬送路
２２…カップリング
２３…カップリングロッド
【図１】
2016000093.tif 000003
【図２】
2016000093.tif 000004
【図３】
2016000093.tif 000005
【図４】
2016000093.tif 000006